(57)【要約】  端子台装置（１００）は、ハウジング（２）及び複数の接続端子（３，４，５）を有する端子台（１）を備えている。各接続端子（３，４，５）は、接続端子（３，４，５）上で収容されることができる導体（７）と接触するための端子ユニット（６）を備え、且つ２つの位置（９，１０）の間で端子ユニット（６）を選択的に移動させるために端子ユニット（６）を作動させるための関連する作動ユニット（８）を備えている。２つの位置の１つが開放位置（９）であり、２つの位置の１つが接触位置（１０）である。ブロックデバイス（１１）が設けられている。ブロック位置（１３）では、ブロックデバイス（１１）が、複数の接続端子（３，４，５）の作動ユニット（８）の作動を一緒に防止することができる。
2016513856.tif 000002
【特許請求の範囲】
【請求項１】
ハウジング（２）及び少なくとも複数の接続端子（３，４，５）を有する端子台（１）を備える端子台装置（１００）であって、
各接続端子（３，４，５）が、前記接続端子（３，４，５）上で受容されることができる少なくとも１つの導体（７）と接触するための少なくとも１つの端子ユニット（６）と、少なくとも２つの位置（９，１０）の間で前記端子ユニット（６）を選択的に移動させるために前記端子ユニット（６）を作動させるための少なくとも１つの関連する作動ユニット（８）と、を備え、前記少なくとも２つの位置の少なくとも１つが開放位置（９）であり、前記少なくとも２つの位置の少なくとも１つが接触位置（１０）である、
端子台装置（１００）において、
少なくとも１つのブロックデバイス（１１）が設けられ、ブロック位置（１３）では、前記ブロックデバイス（１１）が、前記複数の接続端子における少なくとも２つの接続端子（３，４，５）の前記作動ユニット（８）の作動を一緒に防止することができることを特徴とする端子台装置（１００）。
【請求項２】
少なくとも１つの接続端子（３，４，５）が、前記作動ユニット（８）として作動レバー（１６）を有するレバー端子（１５）として構成されていることを特徴とする請求項１に記載の端子台装置（１００）。
【請求項３】
前記ブロックデバイス（１１）が、後部（１７），（１８）を備えていることを特徴とする請求項１又は２に記載の端子台装置（１００）。
【請求項４】
前記ブロックデバイス（１１）が、前記ブロックデバイス（１１）から突出する少なくとも１つのブロックユニットを備え、且つ／又は、前記ブロックユニット（１８）を受容するためのブロック手段ホルダ（３１）が、前記端子台（１）上に設けられていることを特徴とする請求項１から３のいずれか一項に記載の端子台装置（１００）。
【請求項５】
少なくとも１つのシーリング補助部（２０）が、前記後部（１７）及び前記ハウジング上それぞれに設けられていることを特徴とする請求項３又は４に記載の端子台装置（１００）。
【請求項６】
少なくとも１つのブロックユニット（１８）が平坦であることを特徴とする請求項１から５のいずれか一項に記載の端子台装置（１００）。
【請求項７】
前記ハウジング（２）が、前記ブロックユニット（１８）を受容するために前記接続端子（３，４，５）上に受容溝（２２）を有していることを特徴とする請求項１から６のいずれか一項に記載の端子台装置（１００）。
【請求項８】
前記ブロックユニット（１８）の側方領域（２３）が、前記ハウジング（２）の前記受容溝（２２）内に押し込まれることを特徴とする請求項１から７のいずれか一項に記載の端子台装置（１００）。
【請求項９】
少なくとも１つのブロックユニット（１８）が、少なくとも１つの貫通孔（２４）を有していることを特徴とする請求項１から８のいずれか一項に記載の端子台装置（１００）。
【請求項１０】
検査及び／又は接触開口部（２５）が、前記貫通孔（２４）に設けられていることを特徴とする請求項１から９のいずれか一項に記載の端子台装置（１００）。
【請求項１１】
前記作動ユニット（８）が、前記ブロックデバイス（１１）によって前記接触位置（１０）においてブロックされることができることを特徴とする請求項１から１０のいずれか一項に記載の端子台装置（１００）。
【請求項１２】
少なくとも１つのシーリングユニット（１２）が設けられ、前記ブロックデバイス（１１）が、前記シーリングユニット（１２）により前記ブロック位置（１３）においてシールされることができることを特徴とする請求項１から１１のいずれか一項に記載の端子台装置（１００）。
【請求項１３】
少なくとも１つのシーリングユニット（１２）が、シーリングワイヤ（２６）、シーリングワックス（２７）、接着シール（２８）及びシール（２９）を備えるシーリングユニット（１２）のグループから選択されることを特徴とする請求項１から１２のいずれか一項に記載の端子台装置（１００）。
【請求項１４】
端子台（１）上で使用することに適しているブロックデバイス（１１）であって、
前記端子台（１）が、ハウジング（２）及び複数の接続端子（３，４，５）を有し、
各接続端子（３，４，５）が、前記接続端子（３，４，５）上で受容されることができる少なくとも１つの導体（７）と接触するための少なくとも１つの端子ユニット（６）と、少なくとも２つの位置（９，１０）の間で前記端子ユニット（６）を選択的に移動させるために前記端子ユニット（６）を作動させるための少なくとも１つの関連する作動ユニット（８）と、を備え、前記少なくとも２つの位置の少なくとも１つが開放位置（９）であり、前記少なくとも２つの位置の少なくとも１つが接触位置（１０）である、
ブロックデバイス（１１）において、
前記ブロックデバイス（１１）が、前記複数の接続端子における少なくとも２つの接続端子（３，４，５）の前記作動ユニット（８）の作動を一緒に防止するために複数のブロックユニットを備えていることを特徴とするブロックデバイス（１１）。
【請求項１５】
前記ブロックデバイス（１１）が少なくとも１つの後部（１７）を備え、前記ブロックユニット（１８）が前記後部（１７）から突出することを特徴とする請求項１４に記載のブロックデバイス（１１）。
【請求項１６】
少なくとも１つのブロックユニット（１８）が、特に、平坦なブロック突起（１９）として構成されていることを特徴とする請求項１４又は１５に記載のブロックデバイス（１１）。
【請求項１７】
少なくとも１つのブロックユニット（１８）が、前記側方領域（２３）において断面が減少されていることを特徴とする請求項１４から１６のいずれか一項に記載のブロックデバイス（１１）。
【請求項１８】
ハウジング（２）及び複数の接続端子（３，４，５）を備える端子台（１）であって、
各接続端子（３，４，５）が、前記接続端子（３，４，５）上で受容されることができる少なくとも１つの導体（７）と接触するための少なくとも１つの端子ユニット（６）と、少なくとも２つの位置（９，１０）の間で前記端子ユニット（６）を選択的に移動させるために前記端子ユニット（６）を作動させるための少なくとも１つの関連する作動ユニット（８）と、を備え、前記少なくとも２つの位置の少なくとも１つが開放位置（９）であり、前記少なくとも２つの位置の少なくとも１つが接触位置（１０）である、
端子台（１）において、
少なくとも部分的にブロックデバイス（１１）を受容することができる少なくとも１つのブロック手段ホルダ（３１）が、少なくとも２つの接続端子（３，４，５）の前記作動ユニット（８）の作動を一緒に防止するために前記ハウジング上に設けられていることを特徴とする端子台（１）。
【請求項１９】
実質的に、各接続端子（３，４，５）が、ブロック手段ホルダ（３１）を有していることを特徴とする請求項１８に記載の端子台（１）。
【発明の詳細な説明】
【技術分野】
【０００１】
本発明は、端子台装置、並びに端子台及び当該端子台のためのブロックデバイスに関する。
【背景技術】
【０００２】
従来技術において、さまざまな端子台が公知であり、これら端子台は、複数の接続端子を有し、且つ幅広い異なる目的のために使用することができる。例えば、パネルフィードスルー端子として構成され且つ光起電システムのための送電線を接続することに適している端子台が、公知である。これらのケース及び同様に他のケースでは、スイッチ又はレバー端子の作動を防止することが都合がよい。適切な保護要素又はシーリング手段が、このために使用することができ、これにより、望ましくない作動がより困難とされるか、又は作動が検出されないことが防止される。
【０００３】
望ましくなく且つ許可されていない作動に対して複数の作動要素を同時に保護するために、ハウジングが全ての要素の周りに設けられ、このことは作動要素へのアクセスを防止する。このようなシステムは、正常に機能するが、個々の作動要素の状態が直接的に見ることができないことと、さらに、高い組立コストがかかることと、という不利な点を有する。
【発明の概要】
【発明が解決しようとする課題】
【０００４】
従って、本発明の目的は、複数の作動要素の望ましくない作動がシンプルな方法で防止される、端子台装置、並びに端子台及びブロックデバイスを提供することである。
【課題を解決するための手段】
【０００５】
この目的は、請求項１の特徴を有する端子台装置、請求項１４の特徴を有するブロックデバイス及び請求項１８の特徴を有する端子台によって達成される。
【０００６】
本発明のさらなる利点及び特徴は、従属請求項、概略的な説明及び実施形態の説明から明らかになる。
【０００７】
本発明による端子台装置は、ハウジングを有する少なくとも１つの端子台を備えている。端子台は、複数の接続端子を有している。本質的に、全ての接続端子は、接続端子上で受容されることができる少なくとも１つの導体と接触するための少なくとも１つの端子ユニットと、それぞれの端子ユニットを作動させるための少なくとも１つの関連する作動ユニットと、を有している。作動ユニットにより、端子ユニットは、少なくとも２つの位置の間で選択的に移動させられることができる。少なくとも２つの位置の少なくとも１つは開放位置であり、少なくとも２つの位置の少なくとも１つは導体と接触するための接触位置である。少なくとも１つのブロックデバイスが設けられる。ブロック位置では、ブロックデバイスは、複数の接続端子のうち少なくとも２つの接続端子の作動ユニットの作動を一緒に防止することができる。
【０００８】
本発明による端子台装置は、それが、シンプルな構成と、同時に、複数の作動ユニットの作動のブロック又は防止と、を可能にするので、多くの利点を有している。
【０００９】
端子ユニット及び作動ユニットが一体部品で形成されることが可能である。しかしながら、作動ユニット及び端子ユニットが個別の部品であることも可能である。そして、端子ユニットは、作動ユニットを作動することにより導体と接触するために使用される。
【００１０】
ブロック位置では、ブロックデバイスは、少なくとも２つの接続端子の作動ユニットの作動を防止する。そのプロセスで、ブロックデバイスは、作動ユニットにアクセスすることを防止することが可能である。ブロックデバイスが、作動ユニットの運動を直接的に制限又は防止することも可能である。例えば、作動ユニットは、作動レバーとして構成され、作動レバーの運動は、ブロックデバイスによって制限又はブロックすることができる。このような場合には、ブロックデバイスは、例えば、作動レバーの運動を防止する。
【００１１】
例えば、作動ユニットが、作動ネジとして構成されると、ブロックデバイスが、ネジへのアクセスのみを防止することも可能である。しかしながら、ネジの回転運動が、ブロックデバイスによって部分的に又は完全に防止されることも可能である。
【００１２】
好ましくは、接続端子は、レバー端子として構成され、且つ接続端子には、作動ユニットとして作動レバーが設けられている。しかしながら、いくつかの接続端子だけがレバー端子として構成される一方で、他の接続端子がネジ端子又は他の端子として構成されることも可能である。
【００１３】
好ましくは、ブロックデバイスは、後部を備え、ブロックデバイス全体が、例えば、後部において把持されることができる。好ましくは、ブロックデバイスは、複数の突出ブロックユニットを有している。ブロックユニットのいくつか又は全てが、後部上に設けられることができる。好ましい実施形態では、ブロックデバイスは、全体として大体櫛状であることができる。ブロックユニットは、好ましくは、大体平行に整列され、後部から斜めに又は垂直に突出している。ブロックデバイスから突出するブロックユニットを有するブロックデバイスは、一平面内で延在することができる。しかしながら、ブロックデバイスの後部が湾曲させられるか又は１つ以上の角度を有することも可能である。
【００１４】
好ましくは、ブロックデバイスを受容するための少なくとも１つのブロック手段ホルダが、端子台上に提供される。特に、少なくとも１つのブロック手段ホルダが、ブロックデバイスの少なくとも１つのブロックユニットを受容するために端子台上に設けられる。中立又は取外位置から少なくとも部分的にブロック手段ホルダ内の所定位置にブロックデバイスを移動させることによって、作動ユニットは、少なくとも２つの接続端子によって閉塞する。
【００１５】
好ましい実施形態では、ブロックデバイスのブロックユニットは、個別のブロック手段ホルダ内にそれぞれ受容され、このため、接続端子の対応する作動ユニットがブロックされる。
【００１６】
好ましい実施形態では、少なくとも１つのシーリング補助部それぞれが、後部及びハウジング上それぞれに設けられている。このようなシーリング補助部は、例えば、ワイヤ又はシーリングワイヤが通過することができる開口部を備えることができる。しかしながら、対応する開口部が、例えば、南京錠又は同様のものが通過するシーリング補助部として作用することも可能である。
【００１７】
実施形態の全てにおいて、ブロックユニットが平坦であることが好ましい。そして、ブロックユニットは、端子台の対応する平坦な受容ポケット内に導入されることができる。このような実施形態では、ブロック手段ホルダが、好ましくは平坦な受容ポケットとして構成されている。
【００１８】
好ましくは、ハウジングは、ブロックユニットを受容するために、接続端子上に受容溝を有している。このような一実施形態では、ブロックユニットは、ハウジングの受容溝においてインターロック方式で受容されることができる。ブロック手段ホルダは、受容溝の間の領域によって形成することができる。
【００１９】
好ましくは、少なくとも１つのブロックユニットは、少なくとも１つの貫通孔を備えている。検査及び／又は接触開口部が、貫通孔において設けられることができる。この結果として、試験ピックオフ及び／又は接触ピックオフが、ブロックデバイスの取り付け後でさえ、接続端子において行うことができる。そして、端子台装置の複雑な開口部、及び／又は端子台からのブロックデバイスの取り外しは、測定作業又は検査作業を実行するために必要とされない。
【００２０】
好ましくは、作動ユニットは、ブロックデバイスを使用して接触位置でブロックされることができる。そして、好ましくは作動が防止されるだけでなく、好ましくは作動ユニット自体の運動が防止される。これは、例えば、ブロックユニットが、作動ユニット内の対応する開口部を通じて固定されるときに生じる。
【００２１】
実施形態の全てにおいて、少なくとも１つのシーリングユニットが設けられ、ブロックデバイスが、シーリングユニットによりブロック位置において少なくともシールされることが好ましい。このようなシーリングユニットは、例えば、シーリングワイヤ、シーリングワックス、接着シール及び他のシールを含むシーリングユニットのグループから選択することができる。
【００２２】
本発明によるブロックデバイスは、端子台及び同様に端子台装置上で使用することに適している。このような端子台は、ハウジング及び複数の接続端子を備えている。本質的に、このような端子台の少なくとも各接続端子は、接続端子上で受容されることができる少なくとも１つの導体と接触するための少なくとも１つの端子ユニットと、少なくとも２つの位置の間で端子ユニットを選択的に移動させるために端子ユニットを作動させるための少なくとも１つの関連する作動ユニットと、を備えている。そのプロセスで、このような端子台の端子ユニットは、開放位置と接触位置との間で少なくとも移動させられる。ブロックデバイスは、端子台の複数の接続端子における少なくとも２つの接続端子の作動ユニットの作動を一緒に防止するために複数のブロックユニットを備えている。
【００２３】
本発明によるブロックデバイスは、ブロックデバイスが端子台の２つ以上の作動ユニットの作動を一緒に防止することができるので、多くの利点を有している。この結果として、より確実な性能及びよりシンプルな動作がシンプルな手段によって可能にされる。
【００２４】
好ましくは、ブロックデバイスは、少なくとも１つの後部を備え、ブロックユニットが後部から突出している。特に、ブロックユニットは、少なくとも部分的に互いに平行となるように整列される。
【００２５】
好ましくは、少なくとも１つのブロックユニットが、特に平坦なブロック突起として構成されている。ブロックデバイスのブロックユニットは、均一に間隔をあけるように後部から突出することができる。少なくとも１つのブロックユニットは、側方領域において断面が減少されている。これは、端子台の保持溝内で係合することができる側方領域におけるブロックユニットの外形をもたらす。そして、階段状に又は２つの側方端部で連続的に減少する一定の断面は、中央領域をもたらす。
【００２６】
ブロックユニットの側方領域の段の結果として、ブロックデバイスを端子台内に挿入した後に滑らかな外面が達成される。
【００２７】
本発明による端子台は、ハウジング及び複数の接続端子を有し、少なくとも実質的に各接続端子又は等しい各接続端子が、接続端子上で受容されることができる少なくとも１つの導体と接触するための少なくとも１つの端子ユニットと、端子ユニットを作動させるための少なくとも１つの関連する作動ユニットと、を備えている。この結果として、端子ユニットは、少なくとも２つの位置の間で選択的に移動することができる。少なくとも１つの位置は開放位置であり、少なくとも１つの位置は接触位置である。接触位置では、挿入された導体が接触される。
【００２８】
少なくとも１つのブロック手段ホルダが、ハウジング上に設けられ、且つブロックデバイスを受容することができ、これにより、少なくとも２つの接続端子の作動ユニットの作動を一緒に防止する。
【００２９】
本発明による端子台が確実な性能を可能にするので、本発明による端子台も多くの利点を有している。シンプルな組み立てが可能である。
【００３０】
好ましくは、本質的に、端子台の各接続端子は、少なくとも１つのブロック手段ホルダを有している。そして、ブロックデバイスが端子台上で受容されると、例えば、ブロックデバイスの各ブロックユニットは、接続端子のブロック手段ホルダ内に挿入されることができる。
【００３１】
全体として、本発明は、端子台のブロック機能を可能にし、またシールも可能である。このようなシールは、さまざまな方法で構成され、例えば、シーリングワイヤ、接着シールもしくはシーリングワックス又は同様のものを使用して構成される。
【００３２】
特別な一実施形態では、ブロック機能は、多数の端子レバー又はネジ端子に提供される。レバー端子のケースでは、ブロックデバイスは、レバーが開くことをブロックする。ネジ端子のケースでは、ネジヘッドへのアクセスがブロックデバイスによって防止される。他の種類の端子のケースでは、開放又は閉鎖が状況に応じて防止される。
【００３３】
本発明は、複数の端子が一度の作業ステップでブロックされるので、より迅速な組み立てを可能にする。
【００３４】
互いに隣り合って配置された隣接する端子が、同時にブロックされることが可能である。しかしながら、個々の端子のみがブロックされる一方で、これら個々の端子の隣又は間に配置された個々の端子又は複数の端子が作動され続けることも可能である。これは、例えば、櫛状のブロックデバイスの場合に、個々のブロックユニットがすべてに設けられないか、又は後に取り外されることで達成される。この結果として、特に柔軟な使用が可能にされるように、個々の端子をブロックするときに任意のパターンが達成される。
【００３５】
全ての実施形態において、作動力がさらなる要素を介して伝達部により選択的に付与されるので、挿入された導体への押圧力は、作動ユニットの作動力と異なる。
【００３６】
本発明のさらなる利点及び特徴は、添付の図面を参照して以下で説明される実施形態の説明から明らかになる。
【図面の簡単な説明】
【００３７】
【図１】中立及び非ブロック位置にあるブロックデバイスを有する本発明による端子台の斜視図である。
【図２】ブロック位置にある図１による端子台を示す。
【図３】接触位置にある端子台の非常に概略的な断面図である。
【図４】開放位置にある端子台の非常に概略的な断面図である。
【図５】ブロック及びシール位置にある図２による端子台を示す。
【図６】図５からの拡大詳細図である。
【図７】さらなるシーリングユニットとともにブロック及びシール位置にある図２による端子台を示す。
【図８】さらなるシーリングユニットとともにブロック及びシール位置にある図２による端子台を示す。
【発明を実施するための形態】
【００３８】
本発明の一実施形態が、添付の図１から図８を参照して説明される。図１は、本発明による端子台１をわずかに斜視図で示している。ブロックデバイス１１が、端子台１とともに示され、ブロックデバイス１１は、端子台１とともに端子台装置１００をもたらす。
【００３９】
図１に示される開放又は非ブロック位置１４では、ブロックユニット１８を有するブロックデバイス１１は、端子台１の対応するブロック手段ホルダ３１内に挿入されていない。この結果として、端子台１のレバー端子１５の作動レバー１６が、要望に応じて開放位置又は接触位置に移動することができる。レバー端子１５の個々の作動レバー１６が、他の作動レバー１６が閉鎖されたままである間に開放されることも可能である。
【００４０】
端子台１は、全ての接続端子３，４，５などのための共通のハウジングとして構成されたハウジング２を備えている。しかしながら、それぞれ個々の接続端子３，４，５が、全てのハウジングが端子台１のハウジング２をともにもたらすように、個別のハウジングを備えることも可能である。
【００４１】
導体挿入開口部が、導体７を挿入するために個々の接続端子３，４，５上に設けられる（図３及び図４参照）。図１による実施形態では、端子台１は、パネルフィードスルー端子台として構成されている。しかしながら、このような端子台１が、回路基板と接触するために、又はさまざまな目的のためにプラグインコネクタとして、使用されることも可能である。
【００４２】
図１による実施形態では、接続端子３から５の作動ユニット８が、作動レバー１６としてそれぞれ構成されている。しかしながら、ネジ端子を使用することが等しく可能であり、この場合、作動ユニットがネジとして構成され、ネジが、螺合又は螺合解除することによって挿入された導体７の接触を引き起こす。
【００４３】
作動ユニット８が、導体をクランプするために導体と直接接触することが可能である。しかしながら、作動ユニット８が、個別の要素、例えば端子ユニット６（図３及び図４参照）に作用することも可能であり、これが好ましい。そして、作動ユニット８は、挿入された導体７と直接接触しない。
【００４４】
ここで、本実施形態ではブロックデバイス１１のブロックユニット１８を受容して固定する働きをするブロック手段ホルダ３１が、作動レバー１６の上に直接的に、端子台１のハウジング２上に設けられている。本実施形態では、作動ユニット８は、作動レバー１６として構成されている。
【００４５】
受容溝２２が、ブロックデバイス１１のブロックユニット１８が受容溝２２内に完全に嵌合して受容されるように構成されている。
【００４６】
本実施形態では、ブロックデバイス１１は、複数のブロックユニット１８が設けられた後部１７を有し、複数のブロックユニット１８は、本実施形態では、互いに大体平行に後部１７から突出している。本実施形態では、各ブロックユニット１８は、ここではブロック突起１９と説明することができる平坦要素として構成されている。
【００４７】
各ブロックユニットの側方領域２３において、より薄い領域２１が側方端部で生じるように段が設けられている。より薄いこれら領域２１は、ハウジング２の受容溝２２内への挿入のために設けられている。ブロックデバイス１１を端子台１の受容溝２２内に挿入すると、全体的に、滑らかな表面が、ブロックユニット１８の上面及び受容溝２２の上部カバーによって形成される。
【００４８】
好ましくは、ブロックデバイス１１は、プラスチック材料、特に射出成型されるプラスチック材料からなる。
【００４９】
この結果として、シンプル且つコスト効率のよい製造が可能にされる。
【００５０】
本実施形態では、全てのブロックユニット１８は、検査及び／又は接触開口部２５としても働くことができる少なくとも１つの貫通孔２４を有する。
【００５１】
図２は、ブロックデバイス１１が端子台１内に挿入された端子台装置１００を示している。この位置は、作動レバー１６の移動が、作動レバー１６がブロックユニット１８によって覆われて防止されたブロック位置１３である。本実施形態に応じて、個々のブロックユニット１８は、個々のブロックユニット１８を取り外した後にそれぞれの作動レバー１６が再び作動することができるように、取り外すことが可能である。この結果として、個々の接触接続部の目標とされた影響が可能とされる。
【００５２】
ブロックデバイス１１及び端子台１双方は、シーリング補助部２０を有し、シーリング補助部２０は、例えば、それぞれの部品における貫通孔として構成されている。これは、シンプルな方法で、ワイヤがシーリング補助部２０を通って送られることと、例えばその後にシールされることと、を可能にし、このため、作動レバー１６の作動は、シールを壊した後にのみ可能である。
【００５３】
図３及び図４は、極めて概略的な端子台を通る概略的な断面図であり、導体７は、接続端子３内に挿入されている。図３は、接触位置１０を示し、接触位置では、作動ユニット８が、端子ユニット６が導体７をクランプするように作動される一方で、図４は、開放位置９を示し、開放位置では、端子ユニット６が導体７を解放している。開放位置において、例えば、導体７の挿入が可能である。
【００５４】
図５は、ブロック位置１３にある、端子台１及び端子台１内に挿入されたブロックデバイス１１を備える端子台装置１００の斜視図である。個々のブロックユニット１８は、端子台１のブロック手段ホルダ３１内に受容されている。本実施形態では、ブロックデバイス１１は、本実施形態ではシーリングワイヤ２６上のシール２９として構成されたシーリングユニット１２によってブロック位置１３で固定されている。本実施形態では、ブロックデバイス１１は、シーリングユニット１２のシールを開放することによってのみ取り外すことができる。従って、端子台装置１００のケースでは、複数の作動ユニット８の作動は、シンプルな方法で防止される。ブロックデバイス１１及びそのシーリングの結果として、端子台１の５つの全ての接続端子の作動ユニット８は、例えば、接続された導体７の取り外し又は新たな導体の接続が確実に防止されるように、作動することができない。
【００５５】
図６は、シール２９を有するシーリングユニット１２が拡大されて見ることができる図５から拡大された詳細部である。
【００５６】
図７は、端子台１がブロックデバイス１１によってブロックされたさらなる端子台装置１００を示している。ここでも、シーリングユニット１２が使用され、本実施形態においてシーリングユニットは、シーリングワックス２７を備えている。
【００５７】
図８による実施形態のケースでは、端子台装置１００は、シーリングユニット１２としての接着シール２８によってシールされる。
【００５８】
全ての実施形態において、端子台１は、ブロックユニットを取り付けること及び個々のシールを取り付けることによって、気づかない操作からいずれの場合にも確実に保護される。組み立ては、迅速且つ容易である。複数の端子が保護される場合にさえ、１つのみの単一のシールが必要とされる。
【符号の説明】
【００５９】
１  端子台、２  ハウジング、３  接続端子、４  接続端子、５  接続端子、６  端子ユニット、７  導体、８  作動ユニット、９  位置，開放位置、１０  位置，接触位置、１１  ブロックデバイス、１２  シーリングユニット、１３  ブロック位置、１４  非ブロック位置、１５  レバー端子、１６  作動レバー、１７  後部、１８  ブロックユニット、１９  ブロック突起、２０  シーリング補助部、２１  シート金属層、２２  受容溝、２３  側方領域、２４  貫通孔、２５  検査及び／又は接触開口部、２６  シーリングワイヤ、２７  シーリングワックス、２８  接着シール、２９  シール、３１  ブロック手段ホルダ、１００  端子台装置
【図１】
2016513856.tif 000003
【図２】
2016513856.tif 000004
【図３】
2016513856.tif 000005
【図４】
2016513856.tif 000006
【図５】
2016513856.tif 000007
【図６】
2016513856.tif 000008
【図７】
2016513856.tif 000009
【図８】
2016513856.tif 000010
【国際調査報告】
2016513856.tif 000011
2016513856.tif 000012
2016513856.tif 000013
2016513856.tif 000014